(57)【要約】【課題】本発明は、ユーザとの間の模擬会話機能を有する携帯電話機を提供することで、ユーザが簡単に通話のふりをすることができるようにすることを目的とする。【解決手段】模擬会話相手の属性と模擬会話日時とに応じて用意されて、自電話の持つ記憶手段に記憶されているデータを模擬会話用データとして使う模擬会話用のシナリオ情報を記憶するシナリオ情報記憶手段と、シナリオ情報記憶手段から、入力された模擬会話相手の属性情報及び模擬会話に入る時点の日時情報に対応付けて記憶されているシナリオ情報を取得する取得手段と、取得手段の取得したシナリオ情報に従って、ユーザとの間の模擬会話を実行する実行手段とを備えるように構成する。【選択図】図１
2007142691.tif 000002
【特許請求の範囲】
【請求項１】
ユーザとの間の模擬会話機能を有する携帯電話機であって、
模擬会話相手の属性と模擬会話日時とに応じて用意されて、自電話の持つ記憶手段に記憶されているデータを模擬会話用データとして使う模擬会話用のシナリオ情報を記憶するシナリオ情報記憶手段と、
上記シナリオ情報記憶手段から、入力された模擬会話相手の属性情報及び模擬会話に入る時点の日時情報に対応付けて記憶されているシナリオ情報を取得する取得手段と、
上記取得手段の取得したシナリオ情報に従って、ユーザとの間の模擬会話を実行する実行手段とを備えることを、
特徴とする携帯電話機。
【請求項２】
請求項１に記載の携帯電話機において、
上記シナリオ情報が、模擬会話の骨組みとなる文章の情報と、自電話の持つどの記憶手段からどういう模擬会話用データを取り出してその文章のどこに埋め込むのかということについて示す情報と、回答用の無会話時間の情報とについて記述するもので構成されることを、
特徴とする携帯電話機。
【請求項３】
請求項１又は２に記載の携帯電話機において、
上記シナリオ情報が、上記模擬会話用データを取り出す記憶手段として、電話帳情報についての記憶手段、メール情報についての記憶手段、通話情報についての記憶手段、スケジュール情報についての記憶手段の内の少なくとも１つの記憶手段について記述するもので構成されることを、
特徴とする携帯電話機。
【請求項４】
ユーザとの間の模擬会話機能を有する携帯電話機で実行される模擬会話方法であって、
模擬会話相手の属性と模擬会話日時とに応じて用意されて、自電話の持つ記憶手段に記憶されているデータを模擬会話用データとして使う模擬会話用のシナリオ情報を記憶するシナリオ情報記憶手段から、入力された模擬会話相手の属性情報及び模擬会話に入る時点の日時情報に対応付けて記憶されているシナリオ情報を取得する過程と、
上記取得したシナリオ情報に従って、ユーザとの間の模擬会話を実行する過程とを備えることを、
特徴とする模擬会話方法。
【請求項５】
ユーザとの間の模擬会話機能を有する携帯電話機の実現に用いられる模擬会話用プログラムであって、
模擬会話相手の属性と模擬会話日時とに応じて用意されて、自電話の持つ記憶手段に記憶されているデータを模擬会話用データとして使う模擬会話用のシナリオ情報を記憶するシナリオ情報記憶手段から、入力された模擬会話相手の属性情報及び模擬会話に入る時点の日時情報に対応付けて記憶されているシナリオ情報を取得する処理と、
上記取得したシナリオ情報に従って、ユーザとの間の模擬会話を実行する処理とをコンピュータに実行させるための模擬会話用プログラム。
【発明の詳細な説明】
【技術分野】
【０００１】
本発明は、ユーザとの間の模擬会話機能を有する携帯電話機と、その携帯電話機で実行される模擬会話方法と、その模擬会話方法の実現に用いられる模擬会話用プログラムとに関する。
【背景技術】
【０００２】
近年の犯罪の増加に伴って、夜道を帰宅するときなどに身に危険を感ずることが多くなってきている。
【０００３】
このような場合、携帯電話機を使って家族や友人と電話することにより、何かあったら直ぐにその旨を連絡できるような状態におき、これにより犯罪者の行動を牽制するようなことが行われている。
【０００４】
しかしながら、いつも通話相手が見つかるとは限らないし、通話時間によっては通話相手に迷惑がかかることもある。
【０００５】
そこで、ユーザが移動中にセキュリティサービス業者の提供するセキュリティ端末と音声により会話できるようにすることで、このような問題の解決を図る方法が提案されている（例えば、特許文献１参照）。
【特許文献１】国際公開第2003/069572 号パンフレット
【発明の開示】
【発明が解決しようとする課題】
【０００６】
しかしながら、特許文献１に記載される発明では、ユーザは、セキュリティサービス業者の提供するセキュリティ端末と音声により会話できるようにするために、あらかじめセキュリティサービス業者と契約を結ぶ必要がある。これから、契約料も発生することになる。
【０００７】
しかも、特許文献１に記載される発明では、実際にネットワークを介してセキュリティ端末と接続する必要があることから、通信費用が発生することになるとともに、電波状態が悪かったり圏外状態の場合には、サービスを受けられないことになる。
【０００８】
このような問題を回避するためには、実際には携帯電話機を使って通話していないのに、その通話のふりをすることが考えられる。このような通話のふりをすることでも、犯罪者の行動を牽制できることになるからである。
【０００９】
しかしながら、実際に、一人だけで会話を作り上げることは難しく、したがって、通話のふりをすることはユーザにとって簡単なことではない。
【００１０】
本発明はかかる事情に鑑みてなされたものであって、ユーザとの間の模擬会話機能を有する携帯電話機を提供することで、ユーザが簡単に通話のふりをすることができるようにする新たな模擬会話技術の提供を目的とする。
【課題を解決するための手段】
【００１１】
この目的を達成するために、本発明の携帯電話機は、ユーザとの間の模擬会話機能を実現するために、（１）模擬会話相手の属性と模擬会話日時とに応じて用意されて、自電話の持つ記憶手段に記憶されているデータを模擬会話用データとして使う模擬会話用のシナリオ情報を記憶するシナリオ情報記憶手段と、（２）模擬会話相手の属性情報を入力する入力手段と、（３）模擬会話に入る時点の日時情報を入手する入手手段と、（４）シナリオ情報記憶手段から、入力手段の入力した模擬会話相手の属性情報及び入手手段の入手した日時情報に対応付けて記憶されているシナリオ情報を取得する取得手段と、（５）取得手段の取得したシナリオ情報に従って、ユーザとの間の模擬会話を実行する実行手段とを備えるように構成する。
【００１２】
この構成を採るときにあって、シナリオ情報が、模擬会話の骨組みとなる文章の情報と、自電話の持つどの記憶手段からどういう模擬会話用データを取り出してその文章のどこに埋め込むのかということについて示す情報と、回答用の無会話時間の情報とについて記述するもので構成されることがある。
【００１３】
そして、シナリオ情報が、模擬会話用データを取り出す記憶手段として、電話帳情報についての記憶手段、メール情報についての記憶手段、通話情報についての記憶手段、スケジュール情報についての記憶手段の内の少なくとも１つの記憶手段について記述するもので構成されることがある。
【００１４】
また、実行手段は、模擬会話用データを記憶する記憶手段から模擬会話用データ取り出すときに、最新の模擬会話用データ取り出すことがある。
【００１５】
以上に記載する記憶手段を除く各処理手段はコンピュータプログラムでも実現できるものであり、このコンピュータプログラムは、適当なコンピュータ読み取り可能な記録媒体に記録して提供されたり、ネットワークを介して提供され、本発明を実施する際にインストールされてＣＰＵなどの制御手段上で動作することにより本発明を実現することになる。
【００１６】
このように構成される本発明の携帯電話機では、ユーザから模擬会話機能の提供要求があると、ユーザから模擬会話相手の属性情報を入力するととともに、自電話の持つ時計を参照することで、その時点の日時情報を入手する。
【００１７】
続いて、その入力した模擬会話相手の属性情報及びその入手した日時情報をキーにしてシナリオ情報記憶手段を参照することで、シナリオ情報記憶手段からシナリオ情報を取得する。
【００１８】
続いて、その取得したシナリオ情報に従って、自装置の持つ記憶手段から模擬会話用データを取り出して、その取り出した模擬会話用データを模擬会話の骨組みとなる文章に埋め込んでそれを音声出力するとともに、回答用の無会話時間の経過を待ってから、次の音声を出力することを繰り返していくことで、ユーザとの間の模擬会話を実行する。
【００１９】
このようにして、本発明の携帯電話機は、自電話の持つ記憶手段に記憶されているデータを模擬会話用データとして使う模擬会話用のシナリオ情報に従って、ユーザとの間の模擬会話を実行するように処理するのである。
【発明の効果】
【００２０】
以上説明したように、本発明によれば、ユーザは、携帯電話機を使って通話のふりをするときに、携帯電話機の出力する音声に応答する形で、その通話のふりをすることができるようになることから、極めて簡単に通話のふりをすることができるようになる。
【００２１】
しかも、本発明によれば、ユーザは、その通話のふりをするときに、その時点の日時や模擬会話相手として選んだ者の属性に応じた模擬会話ができるようになるとともに、自分の所有する携帯電話機の持つ記憶手段から取得される模擬会話用データを使った模擬会話ができるようになることから、極めて自然な形で通話のふりをすることができるようになる。
【００２２】
したがって、本発明によれば、ユーザは、携帯電話機を使って通話のふりをするときに、極めて簡単にかつ自然な形で通話のふりをすることができるようになり、これにより、通信費用や契約料を要求されることなく、犯罪者の行動を牽制することができるようになる。
【発明を実施するための最良の形態】
【００２３】
以下、実施の形態に従って本発明を詳細に説明する。
【００２４】
図１に、本発明を具備する携帯電話機１の一実施形態例を図示する。
【００２５】
この図に示すように、本発明を具備する携帯電話機１は、入力キー及びディスプレイで構成される操作部１０と、音声を出力する音声出力部１１と、日時を刻む時計１２と、電話帳情報を記憶する電話帳情報記憶部１３と、メール情報を記憶するメール情報記憶部１４と、通話情報を記憶する通話情報記憶部１５と、スケジュール情報を記憶するスケジュール情報記憶部１６と、シナリオ情報記憶部１７と、シナリオパターンテーブル１８と、模擬会話実行部１９とを備える。
【００２６】
この電話帳情報記憶部１３は、従来の携帯電話機でも備えられるものであり、図２に示すように、例えば、個人名に対応付けて、その個人のメールアドレスや電話番号や誕生日の情報を記憶したり、会社名に対応付けて、その会社の住所の情報を記憶する。
【００２７】
メール情報記憶部１４は、従来の携帯電話機でも備えられるものであり、図３に示すように、例えば、受信したメールの送信元の情報に対応付けて、その受信メールの件名やその受信メールの受信日時やその受信メールの本文の情報を記憶するとともに、送信したメールの送信先の情報に対応付けて、その送信メールの件名やその送信メールの送信日時やその送信メールの本文の情報を記憶する。
【００２８】
通話情報記憶部１５は、従来の携帯電話機でも備えられるものであり、図４に示すように、例えば、通話してきた通話元の電話番号に対応付けて、その通話日時の情報を記憶するとともに、通話した通話先の電話番号に対応付けて、その通話日時の情報を記憶する。なお、この通話情報記憶部１５に記憶される電話番号については、電話情報記憶部１３の記憶する情報に従って誰の電話番号であるのかを特定できることになる。
【００２９】
スケジュール情報記憶部１６は、従来の携帯電話機でも備えられるものであり、図５に示すように、例えば、予定の内容に対応付けて、その予定の開始日時やその予定を行う場所やその予定に参加するメンバーの情報を記憶する。
【００３０】
シナリオ情報記憶部１７は、本発明を実現すべく備えられるものであり、模擬会話相手のタイプと模擬会話日時とに応じて用意されて、電話帳情報記憶部１３やメール情報記憶部１４や通話情報記憶部１５やスケジュール情報記憶部１６に記憶されているデータを模擬会話用データとして使う模擬会話用のシナリオ情報を記憶する。
【００３１】
シナリオパターンテーブル１８は、本発明を実現すべく備えられるものであり、図６に示すように、例えば、１０：００〜１５：５９という昼の時間帯において父親との間の模擬会話を行う場合には、“ａ−２”というＩＤを持つシナリオ情報を使用するというように、模擬会話相手のタイプと模擬会話日時の時間帯とに対応付けて、どのシナリオ情報を使って模擬会話を行うのかということについて示す情報を記憶する。
【００３２】
模擬会話実行部１９は、本発明を実現すべく備えられるものであり、ユーザから操作部１０を介して模擬会話モードの起動指示があると、シナリオ情報記憶部１７からシナリオ情報を取得して、その取得したシナリオ情報に従って、ユーザとの間で模擬会話を実行する。
【００３３】
次に、模擬会話に用いるシナリオ情報について説明する。
【００３４】
このシナリオ情報は、ユーザとの間の模擬会話を実現するために用意されるものであり、電話帳情報記憶部１３やメール情報記憶部１４や通話情報記憶部１５やスケジュール情報記憶部１６に記憶される会話の“Ｗｈｏ”に用いられる“誰が？、誰と？”に該当する情報（図２〜５中の（Ａ）で示す情報）と、電話帳情報記憶部１３やメール情報記憶部１４や通話情報記憶部１５やスケジュール情報記憶部１６に記憶される会話の“Ｗｈｅｎ”に用いられる“いつ？”に該当する情報（図２〜５中の（Ｂ）で示す情報）と、電話帳情報記憶部１３やメール情報記憶部１４や通話情報記憶部１５やスケジュール情報記憶部１６に記憶される会話の“Ｗｈｅｒｅ”に用いられる“どこで？”に該当する情報（図２〜５中の（Ｃ）で示す情報）と、電話帳情報記憶部１３やメール情報記憶部１４や通話情報記憶部１５やスケジュール情報記憶部１６に記憶される会話の“Ｗｈａｔ”に用いられる“何をするの？”に該当する情報（図２〜５中の（Ｄ）で示す情報）とを使って、模擬会話を実現するための情報について記述する。
【００３５】
なお、上述しなかったが、電話帳情報記憶部１３やメール情報記憶部１４や通話情報記憶部１５やスケジュール情報記憶部１６に記憶される各情報には、Ａ，Ｂ，Ｃ，Ｄというような区分け記号を使って、会話の“Ｗｈｏ”に用いられる情報であるとか、会話の“Ｗｈｅｎ”に用いられる情報であるとか、会話の“Ｗｈｅｒｅ”に用いられる情報であるとか、会話の“Ｗｈａｔ”に用いられる情報であるということが記録されている。
【００３６】
このシナリオ情報は、プログラムそのもので構成されることもあるし、プログラムが解釈可能なデータ列で構成されることもある。
【００３７】
シナリオ情報がプログラムそのもので構成される場合には、模擬会話実行部１９は、そのシナリオ情報のプログラムを実行することでユーザとの間の模擬会話を実行する。一方、シナリオ情報がプログラムの解釈可能なデータ列で構成される場合には、模擬会話実行部１９は、そのシナリオ情報のデータ列を解釈して実行することでユーザとの間の模擬会話を実行する。
【００３８】
図７及び図８に、シナリオ情報の一例を図示する。
【００３９】
ここで、この図７及び図８に示すシナリオ情報では、２３：００〜０３：５９という深夜の時間帯において母親との間の模擬会話を行う“ｂ−５”というＩＤを持つシナリオ情報を想定しており、説明の便宜上、フローチャートの形態で記載してある。
【００４０】
次に、この図７及び図８に示すシナリオ情報について説明する。
【００４１】
図７及び図８に示すシナリオ情報では、先ず最初に、ステップ１００で、会話導入部として、前もって取得した現在時刻を使って、
『もう「＄現在時刻」すぎよ! 』
という文章を音声を出力する。
【００４２】
続いて、ステップ１０１で、メール情報記憶部１４を参照することで受信メールがあるのかをチェックし、続くステップ１０２で、受信メールがあるというチェック結果が得られたのか否かを判断する。
【００４３】
このステップ１０２の判断処理で、受信メールがあったことを判断するときには、ステップ１０３に進んで、受信メールの送信元情報から人物（Ａ）を取得する。このとき、複数のメールを受信していた場合には、例えば、最新の受信メールの送信元情報から人物（Ａ）を取得する。
【００４４】
一方、ステップ１０２の判断処理で、受信メールがなかったことを判断するときには、ステップ１０４に進んで、他の記憶部を参照することで人物（Ａ）を取得する。このとき、他の記憶部を参照することでも人物（Ａ）を取得できない場合には、予め用意してあるデフォルト値の人物（Ａ）を使うことになる。
【００４５】
続いて、ステップ１０５で、ステップ１０３，１０４の処理で取得した人物（Ａ）を使って、
『Ａさんからメールが届いているじゃないの』
という文章を音声を出力する。
【００４６】
続いて、ステップ１０６で、その音声出力に対するユーザの回答用時間として１０秒間待ってから、続くステップ１０７で、スケジュール情報記憶部１６を参照することでスケジュールデータがあるのかをチェックし、続くステップ１０８で、スケジュールデータがあるというチェック結果が得られたのか否かを判断する。
【００４７】
このステップ１０８の判断処理で、スケジュールデータがあったことを判断するときには、ステップ１０９に進んで、スケジュールデータから予定（Ｄ）、開始日時（Ｂ）、メンバー（Ａ）、場所（Ｃ）を取得する。このとき、複数のスケジュールデータがある場合には、例えば、最新のスケジュールデータから予定（Ｄ）、開始日時（Ｂ）、メンバー（Ａ）、場所（Ｃ）を取得する。
【００４８】
一方、ステップ１０８の判断処理で、スケジュールデータがなかったことを判断するときには、ステップ１１０に進んで、他の記憶部を参照することで予定（Ｄ）、開始日時（Ｂ）、メンバー（Ａ）、場所（Ｃ）を取得する。このとき、他の記憶部を参照することでも予定（Ｄ）や開始日時（Ｂ）やメンバー（Ａ）や場所（Ｃ）を取得できない場合には、予め用意してあるデフォルト値の予定（Ｄ）や開始日時（Ｂ）やメンバー（Ａ）や場所（Ｃ）を使うことになる。
【００４９】
続いて、ステップ１１１で、ステップ１０９，１１０の処理で取得した予定（Ｄ）、開始日時（Ｂ）、メンバー（Ａ）、場所（Ｃ）を使って、
『ところで、Ｂには、Ａさんと、Ｃで、Ｄの予定じゃないの! 』
『準備はできているの？』
という文章を音声を出力する。
【００５０】
続いて、ステップ１１２で、その音声出力に対するユーザの回答用時間として１０秒間待ってから、続くステップ１１３で、
『とにかく、忘れないようにしてね』
『ところで、何時頃帰れるの？』
という文章を音声を出力する。
【００５１】
続いて、ステップ１１４で、その音声出力に対するユーザの回答用時間として１０秒間待ってから、続くステップ１１５で、
『遅いから気をつけてね』
という文章を音声を出力する。
【００５２】
続いて、ステップ１１６で、メール情報記憶部１４を参照することで送信メールがあるのかをチェックし、続くステップ１１７で、送信メールがあるというチェック結果が得られたのか否かを判断する。
【００５３】
このステップ１１７の判断処理で、送信メールがあったことを判断するときには、ステップ１１８に進んで、送信メールの送信先情報から人物（Ａ）を取得する。このとき、複数のメールを送信していた場合には、例えば、最新の送信メールの送信先情報から人物（Ａ）を取得する。
【００５４】
一方、ステップ１１７の判断処理で、送信メールがなかったことを判断するときには、ステップ１１９に進んで、他の記憶部を参照することで人物（Ａ）を取得する。このとき、他の記憶部を参照することでも人物（Ａ）を取得できない場合には、予め用意してあるデフォルト値の人物（Ａ）を使うことになる。
【００５５】
続いて、ステップ１２０で、ステップ１１８，１１９の処理で取得した人物（Ａ）を使って、
『ところで、Ａさんにメールしたのね』
『なんの用事だったの？』
という文章を音声を出力する。
【００５６】
続いて、ステップ１２１で、その音声出力に対するユーザの回答用時間として１０秒間待ってから、続くステップ１２２で、
『何時頃メールしたの？』
という文章を音声を出力する。
【００５７】
続いて、ステップ１２３で、その音声出力に対するユーザの回答用時間として１０秒間待つ。
【００５８】
以下、このようなシナリオ記述を続けていくことになるが、ある長さのシナリオ記述を超える場合には、ステップ１００に戻ることで同じシナリオ記述を繰り返すようにしてもよい。
【００５９】
次に、図９に示すフローチャートに従って、模擬会話実行部１９の実行する処理について説明する。
【００６０】
模擬会話実行部１９は、ユーザから操作部１０を介して模擬会話モードの起動指示があると、図９のフローチャートに示すように、先ず最初に、ステップ１０で、ユーザから模擬会話相手のタイプ情報を入力し、続くステップ１１で、時計１２を参照することで現在時刻を入手する。
【００６１】
続いて、ステップ１２で、その入力した模擬会話相手のタイプ情報とその入手した現在時刻とをキーにしてシナリオパターンテーブル１８を参照することで、模擬会話の実行に用いるシナリオ情報のＩＤを特定する。
【００６２】
続いて、ステップ１３で、シナリオ情報記憶部１７から、その特定したシナリオ情報ＩＤの指すシナリオ情報を取得する。
【００６３】
続いて、ステップ１４で、その取得したシナリオ情報に従って、ユーザとの間で模擬会話を実行する。例えば、図７及び図８に示すようなシナリオ情報を実行することで、ユーザとの間で模擬会話を実行するのである。
【００６４】
そして、ステップ１５で、ユーザから模擬会話の終了要求があるのか否かを判断して、模擬会話の終了要求がない場合には、その取得したシナリオ情報に従って、ユーザとの間で模擬会話を続行していき、模擬会話の終了要求がある場合には、模擬会話処理を終了する。
【００６５】
このようにして、本発明の携帯電話機１を用いることで、ユーザは、本発明の携帯電話機１からの音声出力に応答するだけで、例えば、
（１）母        『もう１２時すぎよ! 』
（＊“１２時”は現在時刻から取得する）
『こんな遅い時間までなにやっているの! 』
（２）ユーザ    『あ、お母さん。今日は無理な仕事を押し付けられてさぁ』
（３）母        『佐藤さんからメール届いているじゃないの』
（＊“佐藤”はメール情報から取得する）
（４）ユーザ    『あー、そう。なんの用事かしら。』
（５）母        『１０日は何の予定があるか分かっているの？』
（＊“１０日”はスケジュール情報から取得する）
『横浜で待ち合わせよ』
（＊“横浜”はスケジュール情報から取得する）
『準備はちゃんと出来ているの？』
（６）ユーザ    『忘れていないわよ』
（７）母        『音楽会が楽しみね』
（＊“音楽会”はスケジュール情報から取得する）
というような会話を行うことができるようになるので、通話のふりを簡単に実行することができるようになる。
【００６６】
なお、本発明の携帯電話機１の出力する音声については、機械音声を用いてもよいし、予め録音しておいた声を合成することで生成するようにしてもよい。
【００６７】
本発明の携帯電話機１では、上述したことから分かるように、模擬会話の骨組みとなる文章に、電話帳情報記憶部１３やメール情報記憶部１４や通話情報記憶部１５やスケジュール情報記憶部１６から読み出したデータを埋め込むことで、模擬会話の会話文を生成するようにしている。
【００６８】
このとき生成される会話文については、データの属性に合わせて作られているので、そんなにひどい文章とはならない。しかも、現在の時刻やスケジュール情報の日時も取り入れるようにしているので、より現実味を増した文章とすることができる。さらに、最近のメールや着信日時の情報を優先的に選択するようにすることも可能であり、これにより、時間ばかりでなく時期的にも的外れな会話文とならないようにすることができる。
【００６９】
図示実施形態例に従って本発明を説明したが、本発明はこれに限定されるものではない。例えば、実施形態例では、Ａ，Ｂ，Ｃ，Ｄという４種類のデータ属性に合わせて会話文を生成するようにしているが、例えば、食べ物はＤ−１、乗り物はＤ−２、動物はＤ−３というように、例えば、Ｄ（Ｗｈａｔ）をさらに細分化して会話を生成するようにすれば、よりリアルな会話文を生成することができるようになる。
【００７０】
また、実施形態例では、現在の時刻に合ったシナリオ情報を使って模擬会話を実行するようにしているが、このシナリオ情報を現在の季節及び時刻にあったものにすれば、よりリアルな会話文を生成することができるようになる。
【産業上の利用可能性】
【００７１】
本発明によれば、ユーザは、携帯電話機を使って通話のふりをするときに、極めて簡単にかつ自然な形で通話のふりをすることができるようになる。
【００７２】
これから、夜道を帰宅するときなどに、通話のふりをすることで、犯罪者の行動を牽制することができるようになる。そして、何かの事情で通話のふりをする必要があるような場合に、うまく通話のふりをすることができるようになる。
【００７３】
（付記１）  ユーザとの間の模擬会話機能を有する携帯電話機であって、自電話の持つ記憶手段に記憶されているデータを模擬会話用データとして使う模擬会話用のシナリオ情報を記憶するシナリオ情報記憶手段と、上記シナリオ情報記憶手段から、上記シナリオ情報を取得する取得手段と、上記取得手段の取得したシナリオ情報に従って、ユーザとの間の模擬会話を実行する実行手段とを備えることを、特徴とする携帯電話機。
【００７４】
（付記２）  ユーザとの間の模擬会話機能を有する携帯電話機であって、模擬会話相手の属性に応じて用意されて、自電話の持つ記憶手段に記憶されているデータを模擬会話用データとして使う模擬会話用のシナリオ情報を記憶するシナリオ情報記憶手段と、上記シナリオ情報記憶手段から、入力された模擬会話相手の属性情報に対応付けて記憶されているシナリオ情報を取得する取得手段と、上記取得手段の取得したシナリオ情報に従って、ユーザとの間の模擬会話を実行する実行手段とを備えることを、特徴とする携帯電話機。
【００７５】
（付記３）  ユーザとの間の模擬会話機能を有する携帯電話機であって、模擬会話日時に応じて用意されて、自電話の持つ記憶手段に記憶されているデータを模擬会話用データとして使う模擬会話用のシナリオ情報を記憶するシナリオ情報記憶手段と、上記シナリオ情報記憶手段から、模擬会話に入る時点の日時情報に対応付けて記憶されているシナリオ情報を取得する取得手段と、上記取得手段の取得したシナリオ情報に従って、ユーザとの間の模擬会話を実行する実行手段とを備えることを、特徴とする携帯電話機。
【００７６】
（付記４）  ユーザとの間の模擬会話機能を有する携帯電話機であって、模擬会話相手の属性と模擬会話日時とに応じて用意されて、自電話の持つ記憶手段に記憶されているデータを模擬会話用データとして使う模擬会話用のシナリオ情報を記憶するシナリオ情報記憶手段と、上記シナリオ情報記憶手段から、入力された模擬会話相手の属性情報及び模擬会話に入る時点の日時情報に対応付けて記憶されているシナリオ情報を取得する取得手段と、上記取得手段の取得したシナリオ情報に従って、ユーザとの間の模擬会話を実行する実行手段とを備えることを、特徴とする携帯電話機。
【００７７】
（付記５）  付記４に記載の携帯電話機において、上記シナリオ情報が、模擬会話の骨組みとなる文章の情報と、自電話の持つどの記憶手段からどういう模擬会話用データを取り出してその文章のどこに埋め込むのかということについて示す情報と、回答用の無会話時間の情報とについて記述するもので構成されることを、特徴とする携帯電話機。
【００７８】
（付記６）  付記４又は５に記載の携帯電話機において、上記シナリオ情報が、上記模擬会話用データを取り出す記憶手段として、電話帳情報についての記憶手段、メール情報についての記憶手段、通話情報についての記憶手段、スケジュール情報についての記憶手段の内の少なくとも１つの記憶手段について記述するもので構成されることを、特徴とする携帯電話機。
【００７９】
（付記７）  付記４ないし６のいずれか１項に記載の携帯電話機において、上記実行手段は、上記模擬会話用データを記憶する記憶手段から模擬会話用データ取り出すときに、最新の模擬会話用データ取り出すことを、特徴とする携帯電話機。
【００８０】
（付記８）  ユーザとの間の模擬会話機能を有する携帯電話機で実行される模擬会話方法であって、模擬会話相手の属性と模擬会話日時とに応じて用意されて、自電話の持つ記憶手段に記憶されているデータを模擬会話用データとして使う模擬会話用のシナリオ情報を記憶するシナリオ情報記憶手段から、入力された模擬会話相手の属性情報及び模擬会話に入る時点の日時情報に対応付けて記憶されているシナリオ情報を取得する過程と、上記取得したシナリオ情報に従って、ユーザとの間の模擬会話を実行する過程とを備えることを、特徴とする模擬会話方法。
【００８１】
（付記９）  ユーザとの間の模擬会話機能を有する携帯電話機の実現に用いられる模擬会話用プログラムであって、模擬会話相手の属性と模擬会話日時とに応じて用意されて、自電話の持つ記憶手段に記憶されているデータを模擬会話用データとして使う模擬会話用のシナリオ情報を記憶するシナリオ情報記憶手段から、入力された模擬会話相手の属性情報及び模擬会話に入る時点の日時情報に対応付けて記憶されているシナリオ情報を取得する処理と、上記取得したシナリオ情報に従って、ユーザとの間の模擬会話を実行する処理とをコンピュータに実行させるための模擬会話用プログラム。
【００８２】
（付記１０）  ユーザとの間の模擬会話機能を有する携帯電話機の実現に用いられる模擬会話用プログラムを記録したコンピュータ読み取り可能な記録媒体であって、模擬会話相手の属性と模擬会話日時とに応じて用意されて、自電話の持つ記憶手段に記憶されているデータを模擬会話用データとして使う模擬会話用のシナリオ情報を記憶するシナリオ情報記憶手段から、入力された模擬会話相手の属性情報及び模擬会話に入る時点の日時情報に対応付けて記憶されているシナリオ情報を取得する処理と、上記取得したシナリオ情報に従って、ユーザとの間の模擬会話を実行する処理とをコンピュータに実行させるための模擬会話用プログラムを記録したコンピュータ読み取り可能な記録媒体。
【図面の簡単な説明】
【００８３】
【図１】本発明を具備する携帯電話機の一実施形態例である。
【図２】電話帳情報記憶部の記憶する情報の説明図である。
【図３】メール情報記憶部の記憶する情報の説明図である。
【図４】通話情報記憶部の記憶する情報の説明図である。
【図５】スケジュール情報記憶部の記憶する情報の説明図である。
【図６】シナリオパターンテーブルのテーブルデータの説明図である。
【図７】シナリオ情報の一例を示す図である。
【図８】シナリオ情報の一例を示す図である。
【図９】模擬会話実行部の実行するフローチャートである。
【符号の説明】
【００８４】
１      携帯電話機
１０    操作部
１１    音声出力部
１２    時計
１３    電話帳情報記憶部
１４    メール情報記憶部
１５    通話情報記憶部
１６    スケジュール情報記憶部
１７    シナリオ情報記憶部
１８    シナリオパターンテーブル
１９    模擬会話実行部
【図１】
2007142691.tif 000003
【図２】
2007142691.tif 000004
【図３】
2007142691.tif 000005
【図４】
2007142691.tif 000006
【図５】
2007142691.tif 000007
【図６】
2007142691.tif 000008
【図７】
2007142691.tif 000009
【図８】
2007142691.tif 000010
【図９】
2007142691.tif 000011